(57)【要約】 【課題】  本発明は、自動車後方の視界及び運転席の反対側前方の視界を補助して安全に運転できるようにすること及び空気抵抗と本来のブレーキとの相乗効果で自動車を減速することによりブレーキの負担を軽減することを目的とするものである。【解決手段】  本発明は、リアウィング本体の左端には左翼板を、右端には右翼板を固定し、前記リアウィング本体の下面左寄りには左取付台を、下面右寄りには右取付台を取り付け、前記リアウィング本体の後部中央にはバックモニターに接続されたリアカメラを、前部で運転席の反対側にはサイドモニターに接続された視界補助カメラを埋め込み、前記リアウィング本体の後部下面の左翼板と左取付台の間には左フィンを、右翼板と右取付台の間には右フィンを設け、前記左右フィンの前部が下方向に動くことを特徴とする自動車用リアウィングの構成とした。【選択図】  図１
2005059661.tif 000002
【特許請求の範囲】
【請求項１】
リアウィング本体の左端には左翼板を、前記リアウィング本体の右端には右翼板を固定し、前記リアウィング本体の下面左寄りには左取付台を、前記リアウィング本体の下面右寄りには右取付台を取り付け、前記リアウィング本体の後部中央にはバックモニターに接続されたリアカメラを、前記リアウィング本体の前部で運転席の反対側にはサイドモニターに接続された視界補助カメラを埋め込んだことを特徴とする自動車用リアウィング。
【請求項２】
リアウィング本体の後部下面の左翼板と左取付台の間には左フィンを、前記リアウィング本体の後部下面の右翼板と右取付台の間には右フィンを設け、前記左右フィンの前部が下方向に動くことを特徴とする請求項１記載の自動車用リアウィング。
【発明の詳細な説明】
【技術分野】
【０００１】
本発明は、自動車の後部の上面に設置するリアウィングで、カメラ付きでフィンが可動式の自動車用リアウィングに関する発明である。
【背景技術】
【０００２】
自動車の後部に取り付ける自動車用リアウィング１４は、どの車種に対しても取り付けられるという訳ではないが、高速走行を目的とした自動車の後部の上面に取り付ける場合があり、特許文献１の発明のようにカメラやアンテナを設けた自動車用リアウィング１４も存在する。
【特許文献１】特開２００１−１０５９７５号公報
【０００３】
自動車用リアウィング１４の形状は様々であるが、高速走行時には空気抵抗を適切にし、空気の流れを整えることによって、自動車の走行を安定させるという効果があり、特許文献２の発明のように角度を変えることができるものもあるが、一般の乗用車においては単に見た目を良くするなど飾り的な要素も大きい。
【特許文献２】特開２０００−１０３３７１号公報
【０００４】
通常、自動車を減速するにはブレーキを踏むが、ブレーキは徐々に摩耗していくため、使い過ぎるとブレーキの寿命を縮めることになる。その他に減速する方法としてはエンジンブレーキなどがある。エンジンブレーキは、低速走行時はブレーキの代わりとなり得るが、高速走行時においては急速に減速できないのでブレーキの補助として使用される。
【発明の開示】
【発明が解決しようとする課題】
【０００５】
しかしながら、自動車に自動車用リアウィング１４を設置すると、運転者１２が後方確認のため後ろを向いたり、バックミラー８ｂで見た際に、自動車用リアウィング１４が邪魔をして見えづらくなってしまうことがある。
【０００６】
外国産の自動車も日本国内を走るようになっているが、日本の道路は左側通行であるのに対して、外国産の自動車は左ハンドルであるため、右ハンドルの自動車に比べて対向車線が見えにくいという状況もある。
【０００７】
自動車はブレーキを踏んだ際、自動車の重心が前方にずれるため、後輪のブレーキの効力が弱くなりやすい。特に、高速走行時にはその傾向が強くなるため、前輪への負担が大きくなってしまう。
【０００８】
そこで、本発明は、自動車後方の視界及び運転席の反対側前方の視界を補助して安全に運転できるようにすること及び空気抵抗と本来のブレーキとの相乗効果で自動車を減速することによりブレーキの負担を軽減することを目的とするものである。
【課題を解決するための手段】
【０００９】
本発明は、上記の課題を解決するために、リアウィング本体の左端には左翼板を、前記リアウィング本体の右端には右翼板を固定し、前記リアウィング本体の下面左寄りには左取付台を、前記リアウィング本体の下面右寄りには右取付台を取り付け、前記リアウィング本体の後部中央にはバックモニターに接続されたリアカメラを、前記リアウィング本体の前部で運転席の反対側にはサイドモニターに接続された視界補助カメラを埋め込み、前記リアウィング本体の後部下面の左翼板と左取付台の間には左フィンを、前記リアウィング本体の後部下面の右翼板と右取付台の間には右フィンを設け、前記左右フィンの前部が下方向に動くことを特徴とする自動車用リアウィングの構成とした。
【発明の効果】
【００１０】
本発明は、以上の構成であるから以下の効果が得られる。第１に、リアカメラ４により自動車後方を車内のバックモニター５に映すことにより、前を向いたまま後方を確認することができる。死角が減るため、発進時に周囲を確認したり、後進する際に障害物を確認することができ、また、車線変更の際の後方から接近する自動車を確認しやすくもなる。      
【００１１】
第２に、視界補助カメラ４ａにより運転席の反対側前方を車内のサイドモニター５ａに映すことにより、隣車線を確認することができる。また、狭い通路を走行する際、運転席の反対側が壁などにぶつからないように間隔を確認することもできる。
【００１２】
第３に、自動車のブレーキを踏んだ際、自動車用リアウィング１後部の左右フィン６、６ａを下方向に開いて空気を左右フィン６、６ａで受けることにより、空気抵抗で自動車の減速を補助し、ブレーキの負担を軽減することができる。
【発明を実施するための最良の形態】
【００１３】
外国産など左ハンドルの自動車の場合、右側が対向車線となるが、右側の車線は前方も後方も見えづらく死角も多くなるので、右側の確認できる範囲を拡げるために視界補助カメラ４ａを設置する。車線変更時には前後同時に確認する必要があることからリアカメラ４を併用する。
【００１４】
自動車用リアウィング１の左右フィン６、６ａは、空気抵抗によりブレーキを補助するためのものだが、低速走行時には空気抵抗はあまり得ることはできないので、自動車用リアウィング１は高速走行を目的とする自動車に設置する。
【実施例１】
【００１５】
以下に、添付図面に基づいて、本発明である自動車用リアウィングについて詳細に説明する。図１は、本発明である自動車用リアウィングを設置した自動車を後方から見た斜視図である。
【００１６】
自動車用リアウィング１は、リアウィング本体２、リアカメラ４、視界補助カメラ４ａからなる。リアウィング本体２は、後部下面の左側に左フィン６、右側に右フィン６ａが設けられ、左端には左翼板３、右端には右翼板３ａが取り付けられている。リアウィング本体２の下面は左寄りの左取付台７、右寄りの右取付台７ａにおいて自動車の後部上面に固定されている。
【００１７】
リアウィング本体２の後部中央にはリアカメラ４が設置されており、配線８を通じて車内のバックモニター５に接続され、後進時は自動車の後部、車線変更時は変更する車線の後方を映し出す。
【００１８】
自動車が左ハンドルの場合は右翼板３ａの付け根付近、右ハンドルの場合は左翼板３の付け根付近のリアウィング本体２の前部に視界補助カメラ４ａが設置されており、配線８を通じて車内のサイドモニター５ａに運転席の反対側前方を映し出す。
【００１９】
バックモニター５及びサイドモニター５ａは自動車の操作に連動して適切な画面を表示するが、ボタン操作により画面を切り替えることも可能であり、バックモニター５又はサイドモニター５ａの片方が故障した時にお互いの画面を切り替えることもできる。また、ナビゲーションシステムが搭載されていれば、ナビゲーションシステムと連動させることも可能である。
【００２０】
自動車のギアをバックに入れた場合や車内のスイッチ操作により、バックモニター５に自動車の後部付近が映し出される。駐車等で細かい操作を繰り返す際に、自動車の後方に障害物がないか、自動車の後部が壁などにぶつからないかなど確認することができる。
【００２１】
運転席から見ることができない箇所もバックモニター５で見ることが可能となるし、車内に荷物を置いたりして後方が見えなくなった場合でもバックモニター５で後方を確認することが可能となる。
【００２２】
複数車線で車線変更をしたり、車線合流により別車線に入る際にウィンカー８ａを出すと、ウィンカー８ａを出した側の前方及び後方がサイドモニター５ａ及びバックモニター５に映し出され、前方に存在する自動車や後方から接近する自動車を確認することができる。
【００２３】
自動車が左ハンドルの場合、右に車線変更しようとすると右前方や右後方は非常に見にくい。右後方確認のためサイドミラー８ｃを見たとしても顔が横に向いてしまうため、前方不注意になりやすい。前を見ながら後方を確認でき、また前方も死角を減らした形で確認できるので、安全に車線変更することが可能である。
【００２４】
片側一車線の道路で追い抜き等のためにウィンカー８ａを出すと、サイドモニター５ａにウィンカー８ａを出した側の前方が映し出される。運転者１２は移動させる車線寄りの視点から確認できるので、自動車自体を移動させる車線にあまり寄せなくて済む。
【００２５】
前方に自動車が止まっていたり、前走車１１ａの速度が遅いため対向車線にはみ出して追い抜く場合、又は、障害物を避けるため対向車線にはみ出す場合、自動車が左ハンドルであると前走車１１ａや障害物のため視界が狭くなってしまうことがあるので、サイドモニター５ａであれば対向車１１ｂなどを確認しやすい。
【００２６】
狭い通路を走行する際や自動車を運転席と反対側の壁などに寄せた場合には、サイドモニター５ａを使用すれば壁までの間隔を確認することができ、自動車をぶつけたりすることもなくなる。
【００２７】
視界補助カメラ４ａについては、リアウィング本体２が付けられない自動車であっても、運転席と反対側の自動車後部上面にアンテナなどを設置し、その先端にカメラを埋め込むことで、運転席の反対側前方を確認することができるようにするという方法もある。
【００２８】
図２は、本発明である自動車用リアウィングの正面図である。自動車の前側から後方を見た時の図であり、図の右側が自動車用リアウィング１の左側になる。
【００２９】
リアウィング本体２は、視界補助カメラ４ａで隣り車線を確認できなければならないので車幅程度の長さが必要であるが、車幅より長いとぶつけたり、物を引っ掛けてしまう可能性もあるので、大きさや形状は車種により調整する。
【００３０】
リアウィング本体２は、左取付台７及び右取付台７ａにより自動車に固定されるが、空気の抵抗を受けないようにできるだけ薄くし、空気を整流できるように角度を調節して設置する。
【００３１】
リアウィング本体２の左端に左翼板３、右端に右翼板３ａが取り付けられるが、左右翼板３、３ａも空気の整流のため大きさ、形状等を調節する。左右翼板３、３ａはリアウィング本体２と一体化している場合もあるが、視界補助カメラ４ａを取り付ける箇所を設けておく必要がある。
【００３２】
視界補助カメラ４ａは、運転席と反対側に設置される。リアウィング本体２の前部において、自動車が左ハンドルであれば左翼板３の付け根付近、右ハンドルであれば右翼板３ａの付け根付近で、自動車の側面から隣り車線までがよく見える位置に埋め込むように取り付ける。
【００３３】
左取付台７及び右取付台７ａについては、リアウィング本体２の左右フィン６、６ａが下方向に動くことから、左右フィン６、６ａが開けるだけの高さが必要である。自動車用リアウィング１の高さが高くなると後方の視界を遮ることになるので、出来るだけ邪魔にならない高さの方が良い。
【００３４】
図３は、本発明である自動車用リアウィングの側面図である。自動車の左側から見た図であり、図の手前側が自動車用リアウィング１の左側であり、図の左側が進行方向となる。      
【００３５】
左翼板３、左フィン６、左取付台７は手前側であり、右翼板３ａ、右フィン６ａ、右取付台７ａは奥側である。リアウィング本体２は左翼板３と右翼板３ａの間に存在し、リアカメラ４はリアウィング本体２の中央に埋め込まれている。視界補助カメラ４ａは、自動車が左ハンドルであれば奥の右翼板３ａ側、右ハンドルであれば手前の左翼板３側のリアウィング本体２の前部に埋め込まれている。
【００３６】
左右フィン６、６ａは閉じられてリアウィング本体２の中に入っている状態であるが、リアウィング本体２において、左フィン６は左翼板３と左取付台７の間、右フィン６ａは右取付台７ａと右翼板３ａの間の部分に存在する。
【００３７】
リアカメラ４は、自動車の後部から自動車の後方、車線変更時には変更する車線側までが見える必要があるので、リアウィング本体２の見やすい位置に設置し、視点が変更できるようにする。
【００３８】
図４は、本発明である自動車用リアウィングの平面図である。自動車の上側から見た図で、図の上側が自動車用リアウィング１の前部であり、進行方向である。
【００３９】
左右フィン６、６ａ及び左右取付台７、７ａは、リアウィング本体２の下面に存在する。左右フィン６、６ａは、リアウィング本体２の一部分であり、下方向に開閉可能である。左右取付台７、７ａは、リアウィング本体２を自動車に固定している。
【００４０】
リアウィング本体２のサイズは、車種により適当な大きさにし、形状も長方形に限られず多少丸みを帯びたりと自動車に合ったものにする。左右翼板３、３ａ、左右フィン６、６ａ、左右取付台７、７ａについても同様である。
【００４１】
リアカメラ４はリアウィング本体２の後部中央に、視界補助カメラ４ａはリアウィング本体２の前部で、運転席と反対側となる方に固定するが、どちらであってもある程度視野を変更できるようにする。
【００４２】
左右取付台７、７ａは、リアウィング本体２に取り付ける際、安定性が高くなる位置に固定した方が良いが、左右フィン６、６ａが存在するため、左右フィン６、６ａの効果を妨げないように調整する。
【００４３】
図５は、本発明である自動車用リアウィングの背面図である。自動車の後側から前方を見た時の図である。
【００４４】
図２の正面図とほぼ形状は同じになるが、デザインによっては正面図と背面図とが異なったものになる場合もある。自動車用リアウィング１の背面には視界補助カメラ４ａはなく、リアウィング本体２の中央にリアカメラ４が設置されており、左右フィン６、６ａも背面側に存在する。
【００４５】
リアカメラ４は、自動車の後方を見るためのものであるが、発進時や後進時には車内スイッチを操作することにより自動車後部付近に視点を移動して障害物等がないか確認できるようにし、車線変更や車線合流時には変更する車線の方に視点を移動して、後方から接近する自動車を確認できるようにする。
【００４６】
左右フィン６、６ａは、通常走行中は空気抵抗を受けないようにリアウィング本体２の中に収められているが、高速走行中にブレーキを踏むと下方向に開き、空気抵抗を受けることによってブレーキを補助する。
【００４７】
図６は、本発明である自動車用リアウィングのフィン使用時の正面図及び断面図である。フィン正面１ａは左フィン６及び右フィン６ａが開いた状態を示した正面図であり、フィン断面１ｂは側面から見た状態でフィンの部分で切った断面図である。
【００４８】
リアウィング本体２の中程にある左右フィン前軸９、９ｂを下方向に大きく降ろし、後部にある左右フィン後軸９ａ、９ｃを少し降ろすことで、左右フィン６、６ａがポケット状に開いて空気を受け止めることができるようになる。
【００４９】
低速走行中の減速時に左右フィン６、６ａを開いてもあまり空気抵抗を得られず効果は小さいが、高速走行中の減速時に左右フィン６、６ａを開いた場合は空気抵抗が大きく得られ効果が期待できる。
【００５０】
高速走行時にブレーキをかけると自動車の重心は前にずれ、後輪のブレーキの効力が弱くなって前輪の負担が大きくなる。左右フィン６、６ａで空気を受けることによって自動車後部に抵抗がかかり、前輪の負担を軽減することができる。
【００５１】
左右フィン６、６ａは下方向に動くことで、隙間を小さくすることができ、空気抵抗を得やすくなる。また、雨などが降っている場合でも雨水が浸入したりするのを防ぐことができる。
【００５２】
高速走行時にあまり空気抵抗を受け過ぎると、自動車の安定性を失うことにもなり危険なので、左右フィン６、６ａで受けた空気が逃げていくための隙間を十分に取っておく必要がある。
【００５３】
図７は、本発明である自動車用リアウィングのカメラの視界を示す図である。カメラ未使用時１０は運転者１２の視界であり、カメラ使用時１０ａは視界補助カメラ４ａ及びリアカメラ４で見える範囲を示している。
【００５４】
自動車用リアウィング付き自動車１１は、本発明である自動車用リアウィングを搭載した自動車であり、リアカメラ４及び視界補助カメラ４ａを備えているので、映った映像を車内で確認することができるようになっている。自動車用リアウィング付き自動車１１は、本発明の効果が大きい左ハンドルの自動車とする。
【００５５】
カメラ未使用時１０において、自動車用リアウィング付き自動車１１の運転者１２が見ることができる範囲は、前走車１１ａが存在すると運転者視界１３の範囲となり、対向車線があまり見えない。左ハンドルの自動車用リアウィング付き自動車１１の場合、特に見えづらくなる。
【００５６】
前走車１１ａを追い抜こうとする場合、対向車１１ｂをかなり接近するまで確認することはできず大変危険である。対向車線を確認しようとするとセンターライン１２ａを越えるくらいまで寄せなければならない。
【００５７】
カメラ使用時１０ａにおいて、視界補助カメラ４ａを使用すると、視界補助カメラ視界１３ａまで見ることが可能となり、対向車線をかなり大きな範囲で確認できる。対向車１１ｂも遠い位置から確認できるので、安全に前走車１１ａを追い抜くことができる。
【００５８】
視界補助カメラ４ａは、自動車用リアウィング付き自動車１１の側面も見ることが可能なので、狭い通路で対向車１１ｂとすれ違う場合でも、自動車用リアウィング付き自動車１１が対向車１１ｂとぶつからないように確認することもできる。
【００５９】
カメラ使用時１０ａにおいて、リアカメラ４を使用すると、リアカメラ視界１３ｂのように自動車用リアウィング付き自動車１１の後方を見ることができる。自動車用リアウィング１が設置されていると後方が見づらくなるので、リアカメラ４で補助している。
【００６０】
道路が複数車線だったり、車線が合流する際に、自動車用リアウィング付き自動車１１を右車線に移動させる場合においては、自動車用リアウィング付き自動車１１が左ハンドルだと右ハンドルに比べてかなり確認しづらいので、リアカメラ４を若干右後方に移動させれば、後方から接近してくる他の自動車も確認することが容易になる。
【００６１】
駐車場に停める時など自動車用リアウィング付き自動車１１を後進させる時においては、運転者１２が後ろを見たり、バックミラー８ｂで見ただけでは自動車用リアウィング付き自動車１１の後部を見ることはできない。リアカメラ４を使用すれば、自動車用リアウィング付き自動車１１の後部付近を確認したりできるので、自動車用リアウィング付き自動車１１が障害物に当たるのを防ぐことができる。
【００６２】
リアカメラ４及び視界補助カメラ４ａは、左ハンドルの自動車用リアウィング付き自動車１１が日本のように左側通行の道路を走行する際に大きな効果がある。運転者１２の視界だけでは見えづらい範囲をかなり補い、安全に走行することを可能にしている。
【００６３】
図８は、従来のリアウィングを設置した自動車の側面図である。自動車の前部は省略して後部のみを示している。自動車用リアウィング１４は様々な形状があるが、主にリアウィング本体１５、翼板１６、取付台１７からなる。
【００６４】
リアウィング本体１５の両端には、それぞれ翼板１６が取り付けられる。リアウィング本体１５の下面には取付台１７があり、リアウィング本体１５を自動車の後部上面に固定している。
【００６５】
自動車用リアウィング１４は、自動車への空気抵抗を軽減して速度を出しやすくしたり、空気の流れを整えることによって自動車の走行を安定させたりする効果があり、高速走行する場合に適している。
【００６６】
主に一般道路を走行する自動車においては、見た目を良くするための飾り的な要素も大きいが、リアウィングが設置されていると、運転者１２から後方を確認しづらくなってしまう場合もある。
【図面の簡単な説明】
【００６７】
【図１】本発明である自動車用リアウィングを設置した自動車を後方から見た斜視図である。
【図２】本発明である自動車用リアウィングの正面図である。
【図３】本発明である自動車用リアウィングの側面図である。
【図４】本発明である自動車用リアウィングの平面図である。
【図５】本発明である自動車用リアウィングの背面図である。
【図６】本発明である自動車用リアウィングのフィン使用時の正面図及び断面図である。
【図７】本発明である自動車用リアウィングのカメラの視界を示す図である。
【図８】従来のリアウィングを設置した自動車の側面図である。
【符号の説明】
【００６８】
１        自動車用リアウィング
１ａ      フィン正面
１ｂ      フィン断面
２        リアウィング本体
３        左翼板
３ａ      右翼板
４        リアカメラ
４ａ      視界補助カメラ
５        バックモニター
５ａ      サイドモニター
６        左フィン
６ａ      右フィン
７        左取付台
７ａ      右取付台
８        配線
８ａ      ウィンカー
８ｂ      バックミラー
８ｃ      サイドミラー
９        左フィン前軸
９ａ      左フィン後軸
９ｂ      右フィン前軸
９ｃ      右フィン後軸
１０      カメラ未使用時
１０ａ    カメラ使用時
１１      自動車用リアウィング付き自動車
１１ａ    前走車
１１ｂ    対向車
１２      運転者
１２ａ    センターライン
１３      運転者視界
１３ａ    視界補助カメラ視界
１３ｂ    リアカメラ視界
１４      自動車用リアウィング
１５      リアウィング本体
１６      翼板
１７      取付台
【図１】
2005059661.tif 000003
【図２】
2005059661.tif 000004
【図３】
2005059661.tif 000005
【図４】
2005059661.tif 000006
【図５】
2005059661.tif 000007
【図６】
2005059661.tif 000008
【図７】
2005059661.tif 000009
【図８】
2005059661.tif 000010